(57)【要約】【構成】外側漏斗部（２４）と内側漏斗部（２６）との間に均一な折り返し接続部を有する燃料補給ネック装置である。外側漏斗部（２４）は、例えば、食い違い円筒体と肉厚の異なる側壁（３６）とで構成する。内側漏斗部（２６）は、ガスキャップのねじと係合するように構成された雌ねじ（４８）を有する側壁（４６）を有する。折り返し接続部（２２）を使用して、外側漏斗部（２４）の一端（２８）を内側漏斗部（２６）の一端（３８）に接合する。外側漏斗部（２４）の一端（２８）における側壁（３６）を内側でかつリム部分（５０）の周囲に折り返すか折り曲げ、折り返し部分（３７）を構成する。外側漏斗部（２４）の一端（２８）と内側漏斗部（２６）の一端（３８）との間に折り返し接続部（２２）を工作する工作装置だけでなく、燃料補給ネックの部分間に均一な折り返し接続部（２２）を工作する方法にも関する。【選択図】図２
2008500925.tif 000002
【特許請求の範囲】
【請求項１】
第１開口（３０）を形成する直径が大きい端部（２８）、第２開口（３４）を形成する直径が小さい対向端部（３２）およびこれら端部間の側壁（３６）を有し、この側壁（３６）が上記の直径が大きい端部（２８）において折り返し部分（３７）を形成し、そして異なる肉厚を有する食い違い式外側漏斗部（２４）、
第１開口（４０）を形成する直径が大きい端部（３８）、第２開口（４４）を形成する直径が小さい対向端部（４２）およびこれら端部間の側壁（４６）を有し、これら側壁（４６）がねじ山（４８）を形成する内側に突出する面（４７）を有し、これら側壁（４６）を上記の直径が大きい端部（３８）において外側に折り返してリム部分（５０）を形成する内側漏斗部（２６）であって、上記の外側漏斗部（２４）内に装着する内側漏斗部（２６）、および
上記外側漏斗部（２４）の上記の直径が大きい端部（２８）と上記内側漏斗分（２６）の上記の直径が大きい端部（３８）との間の折り返し接続部（２２）であって、上記外側漏斗部（２４）の上記の直径が大きい端部（２８）を上記リム部分（５０）上に内向きに折り返して上記折り返し部分（３７）内の上記リム部分（５０）にピンチ作用を加える折り返し接続部（２２）を有し、上記折り返し部分（３７）が一定の高さ（Ｈ）および幅（Ｗ）を有するように上記折り返し接続部（２２）を均一工作したことを特徴とする燃料補給ネック装置。
【請求項２】
上記外側漏斗部（２４）と上記ねじ山（４８）を折り返し接続部（２２）によって軸方向に整列配置した請求項１記載の装置。
【請求項３】
側壁肉厚が異なる外側漏斗部と内側漏斗部との間に均一な折り返し接続部（２２）を工作する工作装置（６０）において、
上面（６８）と、そして側壁面（７２）および開口（７６）周囲に配設した肩面（７４）を有する凹部のある部分（７０）とを有し、上記開口（７６）内に上記の外側および内側漏斗端部を保持する顎部材（６２）、
上記顎部材（６２）の上記上面（６８）に係合するサイズの第１部分（８２）をもつ底面（８０）を有する第１工作部（６４）であって、上記底面（８０）が凹部のある面（６８）および側壁面（８８）をもつ凹みのある第２部分（８４）を有し、上記第２部分（８４）が上記顎部材（６２）の上記の凹部のある部分（７０）に係合するサイズであり、そして上記の凹みのある第２部分（８４）の上記側壁面（８８）が上記顎部材（６２）の上記側壁面に係合するサイズである第１工作部（６４）、および
上記顎部材（６２）の上記上面（６８）に係合するサイズの第１部分（９２）をもつ底面（９０）、上記第１部分（９２）から延長する一定の高さのある面（９４）および上記第１部分（９２）と上記の一定の高さのある面（９４）との間のフィレット角部（９６）を有する第２工作部（６６）を有することを特徴とする工作装置（６０）。
【請求項４】
上記第１工作部（６４）が、上記第１工作部（６４）の上記第１部分（８２）が上記顎部材（６２）の上記上面（６８）に接触しているときに、上記外側漏斗端部（３６´）を内側にほぼ直角に折り返す請求項３記載の工作装置。
【請求項５】
上記第２工作部（６６）が、上記第２工作部（６６）の上記第１部分（９２）が上記顎部材（６２）の上記上面（６８）に接触しているときに、上記外側漏斗端部（３６´）を外側に下向きに折り返す請求項３または４記載の工作装置。
【請求項６】
上記側壁面（７２、８８）および上記肩面（７４）が、上記第１、第２工作部（６４、６６）の上記第１部分（８２、９２）が上記顎部材（６２）の上記上面（６８）に接触しているときに、上記外側漏斗（２４）の外径を維持する請求項３〜６のいずれか１項記載の工作装置。
【請求項７】
上記顎部材（６２）が、ほぼ平坦な面（６８）およびほぼ環状の凹部のある部分（７０）を有するほぼ環状部材である請求項３〜６のいずれか１項記載の工作装置。
【請求項８】
上記第１工作部（６４）の上記第１部分（８２）および上記凹部のある面（８６）がほぼ平坦であることを特徴とし、および／または上記底面（９０）の上記第１部分（９２）および上記第２工作部（６６）の上記の一定の高さのある面（９４）がほぼ平坦である請求項３〜７のいずれか１項記載の工作装置。
【請求項９】
上記顎部材（６２）の上記側壁面（７２）が少なくとも２．８ｍｍであることを特徴とし、上記顎部材（６２）の上記肩面（７４）が少なくとも６．６ｍｍであることを特徴とし、そして上記開口（７６）の直径が少なくとも５０．４ｍｍである請求項３〜８のいずれか１項記載の工作装置。
【請求項１０】
燃料補給ネックの部分間に均一な折り返し接続部を工作する方法において、
外側漏斗（２４）の直径が大きい端部（２８）であって、外径を有し、かつそれぞれが異なる肉厚をもつ、ほぼ長手方向に直線的な側壁（３６´）および側部肩部（１００）を有する端部（２８）を用意する工程、
内側漏斗（２６）の端部（３８）であって、リム部分（５０）を形成する外側に折り返された側壁を有する端部（３８）を用意する工程、
上記外側漏斗（２４）の長手方向にほぼ直線的な側壁（３６´）を上記リム部分（５０）上に内側にほぼ直角に折り曲げることによって、上記外側漏斗（２４）の上記側壁（３６´）間に上記リム部分（５０）を保持する工程、
上記外側漏斗（２４）の上記のほぼ直線的な側壁（３６´）を上記リム部分（５０）上に下向きに折り曲げる工程、および
上記の折り返し工程および折り曲げ工程時に、上記外側漏斗（２４）の上記端部（２８）の外径を維持する工程を有することを特徴とする工作方法。
【発明の詳細な説明】
【技術分野】
【０００１】
本発明は全体としては自動車の燃料補給装置に関する。より具体的には、本発明は、外側漏斗形部分と内側漏斗形部分との接続部を均一に折り返し工作した燃料補給ネック装置、および均一に折り返し工作した接続部の工作装置および工作方法に関する。
【背景技術】
【０００２】
自動車、トラック、船舶、航空機などの動力車には燃料補給システムが搭載され、車体の外部に備えた燃料源（例えばガスポンプ）によって供給された燃料を車体内部に配設された燃料貯蔵タンクに転送するようになっている。一般的に、燃料補給システムは燃料補給ネックと呼ばれ、一つかそれ以上の所定長さの管によって燃料貯蔵タンクに接続された漏斗形部材を備えている。この燃料補給ネックが、外部の燃料源から送られてきた燃料を受け取り、この燃料を一つかそれ以上の所定長さの管を介して燃料貯蔵タンクを送り出す。燃料補給ネックに着脱式のキャップ（例えばガスキャップ）を固着し、燃料補給後、燃料補給システムを密封する。
【０００３】
代表的な燃料補給システムの場合、燃料補給ネックは、外側漏斗形部分と内側漏斗形部分とを備えている。一般的には、この外側漏斗を配管によって燃料貯蔵タンクに接続する。そして、内側漏斗は、例えば、ねじ山を形成したガスキャップに係合するねじ山をもち、そのサイズは、外部燃料源からのノズルを受け取るサイズになっている。また、一般的には、内側漏斗は、外側漏斗にぴったりと滑り嵌めする設計であるが、通常は、これに締め付けることもなく、あるいは溶接することもない。むしろ、別なフランジを用意し、これを外側漏斗の端部に溶接し、車体に外側漏斗を接続するとともに、内側漏斗に配設することが多い。
【発明の開示】
【発明が解決しようとする課題】
【０００４】
従来から存在するその他の燃料補給システムの場合、接続部を折り返し工作することによって、燃料補給ネック部材の製造を簡略化することが試みられている。即ち、外側漏斗の大きな直径の端部を内側漏斗の大きな直径の部分に折り重ね、両者を接合することが試みられている。ところが、食い違い工作（ｏｆｆｓｅｔ−ｅｘｐａｎｄｅｄ  ｆａｂｒｉｃａｔｉｏｎ）のため、外側漏斗側壁の肉厚に全体としてバラツキがあるので、外側漏斗と内側漏斗との間の折り返し工作接続部にバラツキが発生することが多く、内側漏斗のねじ山の位置がずれことがある。内側漏斗のねじ山の位置がずれると、これら内側漏斗のねじ山を適正に位置合わせしない限り、ねじ山を形成したガスキャップが通常内側漏斗のねじ山と係合しないため、問題が生じる。
【課題を解決するための手段】
【０００５】
本発明の第１態様は、第１開口を形成する直径が大きい端部、第２開口を形成する直径が小さい対向端部およびこれら端部間の側壁を有する食い違い外側漏斗部を有する燃料補給ネック装置に関する。直径が大きい端部において折り返し部分を形成する側壁は、異なる肉厚をもつ。また、燃料補給ネック装置は、第１開口を形成する直径が大きい端部、第２開口を形成する直径が小さい対向端部およびこれら端部間の側壁を有する内側漏斗部を有する。側壁は、ねじ山を形成する内側に突出する面を有し、これら側壁を直径が大きい端部で外側に折り返し、リム部分を構成する。この内側漏斗部は、外側漏斗部内に装着する。また、燃料補給ネック装置は、外側漏斗部の直径が大きい端部と内側漏斗部の直径が大きい端部との間に折り返し接続部を有する。外側漏斗部の直径が大きい端部を大きなリム部分上に内側に折り返して、折り返し部分内のリム部分にピンチ作用を加える。折り返し部分が一定の高さおよび幅をもつように折り返し接続部を均一に構成する。
【０００６】
本発明の第２態様は、異なる壁厚を有する外側漏斗と内側漏斗との間に均一な折り返し接続部を工作する工作装置に関する。工作装置は、上面と凹部のある部分をもつ顎部材を有する。凹部のある部分は、側壁面と、開口周囲に配設した肩面とを有する。顎部材は、開口内に外側漏斗と内側漏斗を保持するように適用させる。工作装置はまた、底面を有する第１工作部を有する。底面は、顎部材の上面に係合するサイズの第１部分と、凹部のある面と側壁面を有する凹みのある第２部分とを有する。第２部分は、顎部材の凹部のある部分と係合するサイズであり、凹みのある第２部分の側壁面は、顎部材の側壁面と係合するサイズである。さらに、工作装置は、底面をもつ第２工作部を有する。底面は、顎部材の上面と係合するサイズの第１部分、この第１部分から延長する一定の高さのある面、および第１部分と一定の高さのある面との間のフィレット角部を有する。
【０００７】
本発明の第３態様は、燃料補給ネックの部分間に均一な折り返し接続部を工作する方法に関する。この工作方法は、外側漏斗の直径が大きい端部であって、外径を有し、かつそれぞれが異なる肉厚をもつ、ほぼ長手方向に直線的な側壁および側部肩部を有する端部を用意する工程、内側漏斗の端部であって、リム部分を形成する外側に折り返された側壁を有する端部を用意する工程、上記外側漏斗の長手方向にほぼ直線的な側壁を上記リム部分上に内側にほぼ直角に折り曲げることによって、上記外側漏斗の上記側壁間に上記リム部分を保持する工程、上記外側漏斗の上記のほぼ直線的な側壁を上記リム部分上に下向きに折り曲げる工程、および上記の折り返し工程および折り曲げ工程時に、上記外側漏斗の上記端部の外径を維持する工程からなる。
【発明を実施するための最良の形態】
【０００８】
以下、本発明の特徴、および本発明の作用効果について、特許請求の範囲の記載および添付図面に言及しつつ、好適な実施態様を説明する。
【０００９】
なお、添付図面において、同じ構成部品は同じ参照符号で示す。まず、図１および図２について本発明を具体的に説明する。本発明の第１態様は、外側漏斗部２４と内側漏斗部２６との間の接続部を均一は縁取り処理した燃料補給ネック装置２０に関する。
【００１０】
外側漏斗部２４は、例えば、第１開口３０を与える拡張加工した直径の大きな端部２８、第２開口３４を与える直径の小さな対向端部３２、および両端部間の側壁３６からなる食い違い工作円筒体によって形成する。直径の大きな端部２８は、例えば、外側漏斗部２４の残りの部分に対して拡張工作した直径をもつ。さらに、燃料補給ネック装置２０の主要構成部として、側壁３６を直径の大きな端部２８において内側に折り返し、折り返し部分３７を形成する。折り返し部分３７は、例えば、その円周において高さＨおよび幅Ｗが一致し、直径の大きな端部２８の内径ＩＤおよび外径ＯＤの両者を規定するものである。側壁３６は、食い違い工作のため、全体として肉厚にバラツキがある。外側漏斗部２４は、例えば、熱可塑性材料から構成するが、ここに開示する用途および製造方法に一致する材料ならば任意のものから構成してもよい。当業者ならば理解できるように、外側漏斗部２４は、従来から知られている他の外側漏斗部と同じものである。
【００１１】
本発明の一つの実施態様では、内側漏斗部２６は、第１開口４０を与える直径の大きな端部３８、第２開口を与える直径の小さな対向端部４２、および両端部間の側壁４６からなる。これら側壁４６には、（図示しないが）螺旋構造をもち、かつ（図示しないが）一定の長さをもつねじ山４８になる内側に突出した突出面４７を形成することができる。このねじ山４８は、例えば、ガスキャップのねじ山に係合するように構成する。直径の大きな端部３８で、全体として、側壁４６を外向きに折り返すか折り曲げ、リム部分５０を形成する。以下に説明するように、内側漏斗部２６は外側漏斗部２４内部にこれと接合して設ける。内側漏斗部２６は、例えば、外側漏斗部２４と同じ材料で構成するが、異なる材料で構成することも可能である。また、当業者ならば理解できるように、この内側漏斗部２６は、従来から知られている他の内側漏斗部と同じである。
【００１２】
折り返し工作した接続部２２を使用して、外側漏斗部２４の直径の大きな端部２８を内側漏斗部２６の直径の大きな端部３８に対して接合する。外側漏斗部２４の側壁３６を内向きに、かつリム部分５０の周囲で折り返すか折り曲げ、折り返し部分３７を形成する。この折り返し部分３７がリム部分５０にピンチ作用を加え、接続部分を折り返し工作する。折り返し部分３７が、この折り返し部分とリム部分５０との間に隙間または空間５２を形成する。この隙間５２は、折り返し部分３７にそって発生する材料肉厚のバラツキを補償するために与える。工作状態では、折り返し工作接続部２２は、折り返し部分３７がその全長にそって、あるいはその円周にそって幅Ｗおよび高さＨが一致している点で、均一である。本発明の一つの実施態様では、内外の漏斗部２４と２６との間に十分な接続を実現するためには、Ｈは少なくとも１ｍｍである。この結果、外側漏斗部２４、内側漏斗部２６およびねじ山４８は、折り返し接続部２２によって軸方向に位置が一致することになる。
【００１３】
次に、図３〜図５について説明する。本発明の第２態様は、外側漏斗部の直径の大きな端部２８と内側漏斗部２６の直径の大きな端部３８との間に均一な折り返し接続部２２を工作する工作装置６０を示す図である。この工作ツール６０、全体として、工作時に内外の漏斗部２４、２６を保持するディスク形態の顎部材６２、折り返し接続部２２の工作を開始する第１工作部６４、および縁取り接続部の工作を終了する第２工作部６６から構成する。
【００１４】
図３に示すように、ディスク形態の顎部材６２は、上面６８および凹部のある部分７０を有する。この凹部のある部分７０は、例えば、側壁面７２および肩面７４を開口７６の周囲に設けた環状凹部である。上面６８は、平坦面で構成してもよく、あるいは（図示しないが）ひとつかそれ以上の突出面で構成してもよい。顎部材６２のサイズは、折り返し接続部２２の工作時に、内外の漏斗部２４、２６を開口７６内に保持できるサイズである。本発明の一つの実施態様では、顎部材６２を半分６２ａ、６２ｂに分割し、工作時に、具体的な燃料補給ネック装置の周囲に位置合わせし、これを保持するようにこれらを調節自在に閉じるように構成する。顎部材６２は、例えば、鋼などの金属材料で構成するが、硬質の熱可塑性材料などで構成することも可能である。
【００１５】
次に図４について説明する。第１工作部６４の底面８０は、顎部材６２の上面６８に係合するサイズの第１部分８２を有する。この底面８０はまた、凹部のある表面８６および側壁面８８を有する凹みのある第２部分８４を有する。凹部のある表面８６および側壁面８８は、例えば、丸みがあるか、あるいは隅肉をつけた角部によって接合する。本発明の一つの実施態様では、隅肉をつけた角部の最小半径は０．３１８ｃｍ（０．１２５インチ）である。第２部分８４は、例えば、顎部材６２の凹部のある部分７０に係合するサイズであり、また側壁面８８は、例えば、顎部材６２の側壁面７２に係合するサイズである。以下にさらに説明するように、第１工作部６４の全体形状については、第１部分８２が上面６８に接触したときに、外側漏斗部２４の直径の大きな端部２８がほぼ直角に内向きに折り返るように構成する。第１工作部６４は、例えば、顎部材６２と同様な材料で構成する。
【００１６】
次に、図５について説明する。第２工作部６６は、底面９０をもち、この底面９０は顎部材６２の上面６８と係合するサイズの第１部分９２、第１部分から延長する一定の高さの部分９４、および第１部分と高さのある部分との間のフィレット角部を有する。例えば、フィレット角部９６の半径および一定の高さのある部分９４の高さについては、第１部分９２が上面６８と接触したときに、折り返し部分３７がリム部分５０に折り重なり、これにピンチ作用を作用させることによって折り返し工作接続部２２を完成できるように選択する。フィレット角部９６が、工作時に、外側漏斗部２４の直径の大きな端部２８において折り返し部分３７の内径ＩＤおよび外形ＯＤを維持する。第２工作部６６は、第１工作部６４と同じか材料か、似た材料で構成することができる。
【００１７】
本発明の一つの実施態様では、第１工作部６４の第１部分８２および凹部のある表面８６、そして第２工作部６６の第２部分および一定の高さのある表面９４は実質的に平坦な構成である。さらに、本発明の一つの具体的な実施態様では、顎部材６２の側壁面７２は少なくとも２．８ｍｍ、肩面７４は少なくとも２ｍｍ、そして開口７６の直径は少なくとも５０．４ｍｍに設定する。
【００１８】
再度図３〜５に戻って説明を続ける。本発明の第２態様は、燃料補給ネック部分間に均一な折り返し接続を工作する方法に関する。まず、図３に示すように、折り返されていない、即ち長手方向に直線的な側壁３６´および側部肩部１００をもつ、直径を拡大した端部２８を有する外側漏斗部２４を顎部材６２に装着する。側壁３６に関連して説明したように、側壁３６´も肉厚に変化がある。側部肩部１００を肩面７４に置く。次に、内側漏斗部２６を外側漏斗部２４内に装着し、リム部分５０を側部肩部１００に載せる。次に、顎部材６２を締め付け、外側漏斗部２４に滑り嵌めする。
【００１９】
次に、図４に示すように、第１部分８２が上面６８に接触するまで、第１工作部６４を（矢印で示すように）下げる。第１工作部６４が下がると、凹部のある表面８６によって、側壁３６´がリム部分５０に内向きに実質的に直角で折り重なり、側壁間にリム部分を挟む。同時に、側壁面７２、側壁面８８およびフィレット角部８９が、側壁３６´が折り返されている間、直径の大きな端部２８の外径ＯＤを維持する。
【００２０】
次に、図５に示すように、第１部分９２が上面６８に接触するまで、第２工作部６６を（矢印で示すように）下げる。第２工作部が下がると、フィレット角部９６によって、側壁３６´がリム部分５０に下向きに折り曲げられ、リム部分周囲に折り返し部分３７を形成する。側壁３６´が第２工作部６６によって折り返されている間、側壁面７２、側壁面８８、およびフィレット角部９６が、直径の大きな端部２８の外径ＯＤおよび内径ＩＤを維持する。
【００２１】
本発明の燃料補給ネック装置によれば、内側漏斗部と外側漏斗部との間を機械的に簡単に接続できる。さらに、本発明の燃料補給ネック装置は、内側漏斗部と外側漏斗部との間に均一は折り返し工作した接続を実現しているため、内側漏斗部のねじが噛み合わなくなることを防止し、従ってねじを形成したガスキャップと内側漏斗部のねじとの噛み合いがより良好になる。
【００２２】
本発明の均一な折り返し接続を工作する工作装置および工作方法によれば、外側漏斗部と内側漏斗部との間に均一な縁取り工作接続を簡単方法で工作できる。また、本発明の均一な折り返し接続を工作する工作装置および工作方法によれば、内側漏斗部のねじの噛み合いミスを抑えた状態で、従来からの構成部品を使用して工作できる。
【００２３】
以上、本発明を具体的な実施態様について説明してきたが、当業者ならば、本発明の精神および範囲から逸脱しなくても、各種の変更、各種の省略追加を実施できることを理解できるはずである。
【図面の簡単な説明】
【００２４】
【図１】本発明の一実施態様における燃料補給ネックを示す等角投影正面図である。
【図２】本発明の一実施態様における燃料補給ネックを示す横断面図である。
【図３】本発明の一実施態様における工作時の燃料補給ネックの横断面図である。
【図４】本発明の一実施態様における工作時の燃料補給ネックの横断面図である。
【図５】本発明の一実施態様における工作時の燃料補給ネックの横断面図である。
【符号の説明】
【００２５】
２２：折り返し接続部、
２４：外側漏斗、
２６：内側漏斗、
２８：直径が大きい端部、
３０：第１開口、
３２：直径が小さい端部、
３６：側壁、
３７：折り返し部分、
３８：直径が大きい端部、
４０：第１開口、
４２：直径が小さい端部、
４４：第２開口、
４６：側壁、
４７：内側に突出する面、
４８：ねじ山、
５０：リム部分、
６０：工作装置、
６２：顎部材、
６４：第１工作部、
６６：第２工作部。
【図１】
2008500925.tif 000003
【図２】
2008500925.tif 000004
【図３】
2008500925.tif 000005
【図４】
2008500925.tif 000006
【図５】
2008500925.tif 000007
【国際調査報告】
2008500925.tif 000008
2008500925.tif 000009
2008500925.tif 000010